(57)【要約】【課題】インセットサッシであっても排水経路を確保することができる建物の排水構造及び建物を得る。【解決手段】サッシ５０の上枠５２には中空部６４が設けられ、当該上枠５２には上階側外壁パネル３０Ａに形成された中空部３８Ａと連通する連通口５２Ｂが形成されている。また、縦枠５４には上枠５２に形成された連通口５２Ｄを介して、当該上枠５２の中空部６４と連通する中空部７２が形成され、下枠５８は縦枠５４の中空部７２と連通し当該中空部７２内を流れる水を屋外側へ排出させる排出部７６が設けられている。このため、外壁パネル３０の中空部３８Ａ内を流れる水は、上枠５２の連通口５２Ｂを通じて、当該上枠５２の中空部６４内へ案内された後、縦枠５４の中空部７２を通じて排出部７６へ案内され、当該排出部７６を通じて屋外側へ排出される。つまり、インセットサッシであっても、排水経路を確保することができる。【選択図】図１
2014114660.tif 000002
【特許請求の範囲】
【請求項１】
外壁における鉛直方向に沿って第１中空部が形成された中空外壁材と、
少なくとも一部が前記中空外壁材の外壁面よりも屋内側に配置された枠体と、
前記枠体に設けられると共に、前記第１中空部と連通され、当該第１中空部内を流れる水を屋外側へ排出させる排水手段と、
を有する建物の排水構造。
【請求項２】
前記排水手段が、
前記枠体の上部を構成し、前記第１中空部と連通された第２中空部が水平方向に沿って形成された上枠と、
前記枠体の側部を構成し、前記第２中空部と連通された第３中空部が鉛直方向に沿って形成された縦枠と、
前記枠体の下部を構成し、前記第３中空部と連通され、当該第３中空部内を流れる水を屋外側へ排出させる排出部が設けられた下枠と、
を含んで構成されている請求項１に記載の建物の排水構造。
【請求項３】
前記中空外壁材の下端部において、一部が当該中空外壁材に形成された第１中空部と対向すると共に、他の一部が前記第２中空部内へ挿入される水切り部材が設けられている請求項２に記載の建物の排水構造。
【請求項４】
前記排水部は前記縦枠よりも屋外側に設けられている請求項２又は請求項３に記載の建物の排水構造。
【請求項５】
請求項１〜請求項４の何れか１項に記載の中空外壁材と、
前記中空外壁材が備える第１中空部内を流れる水を屋外側へ排出する請求項１〜請求項４の何れか１項に記載の排水手段と、
を有する建物。
【発明の詳細な説明】
【技術分野】
【０００１】
本発明は、建物の排水構造及び建物に関する。
【背景技術】
【０００２】
特許文献１には、外壁サッシ開口部枠の２次排水構造が開示されている。具体的には、サッシ（枠体）の開口部下地フレームの下辺に沿って配設された開口下辺２次止水材部分を左右辺２次止水材下側部分に連続させ、開口左右辺２次止水材部分の下端を開口下辺２次止水材部分から離している。
【０００３】
そして、開口左右辺２次止水材部分とサッシとの間のサッシ周辺空間から、開口左右辺２次止水材部分と開口下辺２次止水材部分との間の離れ箇所、および左右辺２次止水材上側部分と左右辺２次止水材下側部分との間の離れ箇所を介して、パネル外周フレームの左右辺の外側となる縦目地裏空間に開口する排水経路が設けられている。
【先行技術文献】
【特許文献】
【０００４】
【特許文献１】特開２００８−１２７７９０号公報
【発明の概要】
【発明が解決しようとする課題】
【０００５】
しかしながら、この先行技術では、サッシの外側に設けられた縦目地の裏空間に排水経路が設けられているため、外壁面よりも屋内側にサッシが配置される、いわゆるインセットサッシに適用させた場合、縦目地の裏空間は存在せず排水経路を確保することが困難である。
【０００６】
本発明は上記事実を考慮し、インセットサッシであっても排水経路を確保することができる建物の排水構造及び建物を得ることが目的である。
【課題を解決するための手段】
【０００７】
請求項１記載の本発明に係る建物の排水構造は、外壁における鉛直方向に沿って第１中空部が形成された中空外壁材と、少なくとも一部が前記中空外壁材の外壁面よりも屋内側に配置された枠体と、前記枠体に設けられると共に、前記第１中空部と連通され、当該第１中空部内を流れる水を屋外側へ排出させる排水手段と、を有している。
【０００８】
請求項１記載の本発明に係る建物の排水構造では、外壁における鉛直方向に沿って第１中空部が形成された中空外壁材を備え、少なくとも一部が当該中空外壁材の外壁面よりも屋内側に枠体が配置されている（いわゆるインセットサッシ）。これにより、外壁の意匠面（外壁面）に凹凸を設けなくても、建物の陰影を強調することができ、建物の見栄えが向上する。
【０００９】
また、本発明では、当該枠体に排出手段が設けられており、第１中空部と連通して当該第１中空部内を流れる水を屋外側へ排出させるようになっている。ここで、一般的に、外壁の横目地及び縦目地は不定形シールなどのシーリング材によりシールされているが、当該縦目地及び横目地において、シーリング材のシール切れにより当該シーリング材の奥方（屋内側）へ水（雨水など）が浸入し、中空外壁材に形成された第１中空部内を水が流れるとする。本発明では、枠体に設けられた排水手段によって、中空外壁材の第１中空部内を水が流れる水を屋外側へ排出することができる。つまり、枠体と外壁の外壁面とを繋ぐ排水路を設ける必要がなく、見栄えが向上する。
【００１０】
請求項２記載の本発明に係る建物の排水構造は、請求項１に記載の建物の排水構造において、前記排水手段が、前記枠体の上部を構成し、前記第１中空部と連通された第２中空部が水平方向に沿って形成された上枠と、前記枠体の側部を構成し、前記第２中空部と連通された第３中空部が鉛直方向に沿って形成された縦枠と、前記枠体の下部を構成し、前記第３中空部と連通され、当該第３中空部内を流れる水を屋外側へ排出させる排出部が設けられた下枠と、を含んで構成されている。
【００１１】
請求項２記載の本発明に係る建物の排水構造では、排水手段が、枠体の上部を構成する上枠と、枠体の側部を構成する縦枠と、枠体の下部を構成する下枠と、を含んで構成されている。上枠には、中空外壁材に形成された第１中空部と連通された第２中空部が水平方向に沿って形成されている。また、縦枠には、上枠に形成された第２中空部と連通された第３中空部が鉛直方向に沿って形成されている。さらに、下枠には、縦枠に形成された第３中空部と連通され、当該第３中空部内を流れる水を屋外側へ排出させる排出部が設けられている。
【００１２】
このため、中空外壁材に形成された第１中空部内を流れる水は、枠体の上枠に形成された第２中空部内へ案内される。当該第２中空部は、縦枠に形成された第３中空部と連通しているため、第２中空部内へ案内された水は当該第３中空部内へ案内される。この第３中空部は、枠体の下枠に設けられた排出部と連通しているため、第３中空部内へ案内された水は当該排出部を通じて屋外側へ排出される。
【００１３】
請求項３記載の本発明に係る建物は、請求項２に記載の建物の排水構造において、前記中空外壁材の下端部において、一部が当該中空外壁材に形成された第１中空部と対向すると共に、他の一部が前記第２中空部内へ挿入される水切り部材が設けられている。
【００１４】
請求項３記載の本発明に係る建物では、中空外壁材の下端部に水切り部材が設けられている。この水切り部材は、一部が当該中空外壁材に形成された第１中空部と対向すると共に、他の一部が第２中空部内へ挿入されるように形成されているため、第１中空部内を流れる水を上枠の第２中空部内へ確実に案内することができる。
【００１５】
請求項４記載の本発明に係る建物は、請求項２又は請求項３に記載の建物の排水構造において、前記排水部は前記縦枠よりも屋外側に設けられている。
【００１６】
請求項４記載の本発明に係る建物では、排水部は縦枠よりも屋外側に設けられているため、中空外壁材の外壁面よりも屋内側に配置された縦枠の第３中空部を通じて流れた水を排水部によって屋外側へ案内することができる。
【００１７】
請求項５記載の本発明に係る建物は、請求項１〜請求項４の何れか１項に記載の中空外壁材と、前記中空外壁材が備える第１中空部内を流れる水を屋外側へ排出する請求項１〜請求項４の何れか１項に記載の排水手段と、を有している。
【００１８】
請求項５記載の本発明に係る建物では、中空外壁材が備える第１中空部内を流れる水を排水手段によって屋外側へ排出するようにしており、これによって、建物の排水経路を確保することができる。
【発明の効果】
【００１９】
以上説明したように、請求項１記載の本発明に係る建物の排水構造は、インセットサッシであっても排水経路を確保することができる、という優れた効果を有する。
【００２０】
請求項２記載の本発明に係る建物の排水構造は、簡単な構成で建物の防水性能を向上させることができる、という優れた効果を有する。
【００２１】
請求項３記載の本発明に係る建物の排水構造は、中空外壁材の中空部内を流れる水をインセットサッシ内へ案内することができる、という優れた効果を有する。
【００２２】
請求項４記載の本発明に係る建物の排水構造は、インセットサッシ内の水を屋外側へ案内することができる、という優れた効果を有する。
【００２３】
請求項５記載の本発明に係る建物は、建物の排水経路を確保することで、建物のメンテナンス費用を削減することができ、ユーザーの経済的負担を軽減することができる、という優れた効果を有する。
【図面の簡単な説明】
【００２４】
【図１】本実施の形態に係る建物の排水構造が適用されたサッシを示す斜視図である。
【図２】本実施の形態に係る建物の排水構造が適用されたサッシの要部を示す分解斜視図である。
【図３】図１の３−３線に沿って切断された状態を示す断面図である。
【図４】図３の上部を示す拡大断面図である。
【図５】図３の下部を示す拡大断面図である。
【図６】押出し成形セメント板が用いられた外壁を示す斜視断面図である。
【図７】本実施の形態に係る建物の排水構造が適用されたサッシを示す正面図である。
【図８】比較例としてのサッシを示す正面図である。
【発明を実施するための形態】
【００２５】
以下、図面を用いて、本実施の形態に係る建物の排水構造について説明する。
まず、建物１０について説明をする。図６に示されるように、例えば、この建物１０の外壁１１を構成する外壁パネル３０には、押出し成形セメント板（ＥＣＰ）が用いられており、階層毎に外壁パネル３０が区切られている。この外壁パネル３０は、屋外１７側に配置されて意匠面を形成する外壁部３２と、当該外壁部３２に対して平行に配置された内壁部３４と、を含んで構成されており、外壁部３２と内壁部３４との間には、外壁部３２と内壁部３４とを垂直に繋ぐ複数の連結部３６が所定のピッチで設けられている。
【００２６】
つまり、この外壁パネル３０は、その内部において所定のピッチで複数の第１中空部としての中空部３８が高さ方向に沿って延在されている。この中空部３８は、上階側の外壁パネル（以下、「上階側外壁パネル」という）３０Ａの中空部３８Ａと下階側の外壁パネル（以下、「下階側外壁パネル」という）３０Ｂの中空部３８Ｂとが、建物高さ方向に連続して互いに連通するように配置されている。
【００２７】
一方、上階側外壁パネル３０Ａと下階側外壁パネル３０Ｂとの間には、横目地４０が設けられており、同じ階における外壁パネル３０では、左右に隣接する外壁パネル３０との間に縦目地４２が設けられている。これらの横目地４０及び縦目地４２には、建物１０の防水性能を確保するため、目地用シールバッカ４３が配設されており、当該目地用シールバッカ４３の屋外１７側には、不定形シール４４がそれぞれ充填されている。しかし、これらの横目地４０及び縦目地４２において、いわゆるシール切れを起こした場合、当該横目地４０及び縦目地４２を通じて屋内１５側へ雨水が浸入し、外壁パネル３０に形成された中空部３８Ａ内を水が流れる可能性がある。
【００２８】
（建物の排水構造の構成）
ここで、本実施の形態に係る建物の排水構造の構成について説明する。
【００２９】
図１及び図３に示されるように、この建物１０には、少なくとも一部（後述する縦枠５４）が外壁パネル３０の外壁面１１Ａから屋内１５側に奥まった（屋内１５側に配置された）状態で枠体としてのサッシ５０が設けられている（いわゆるインセットサッシ）。サッシ５０の内側にはレール５０Ａが設けられており、当該レール５０Ａに沿ってガラス５１が移動可能とされている。勿論、はめ殺しタイプのガラスであっても良い。
【００３０】
このサッシ５０は、当該サッシ５０の上部を構成し水平方向に沿って延在された上枠５２と、サッシ５０の側部をそれぞれ構成し鉛直方向に沿って延在された一対の縦枠５４と、サッシ５０の下部を構成し水平方向に沿って延在された下枠５８と、を含んで構成されている。
【００３１】
縦枠５４は、上述のように、外壁面１１Ａから屋内１５側に奥まった状態で外壁パネル３０の開口部６０の内縁壁６２の奥部に配設されている。このため、縦枠５４が設けられた部分では、建物１０の外観上、開口部６０の内縁壁６２は露出している。一方、上枠５２及び下枠５８の前面の位置は、外壁パネル３０の外壁面１１Ａと略面一の状態となっている。
【００３２】
図２及び図４に示されるように、サッシ５０の上枠５２は角筒状を成しており、水平方向に沿って第２中空部としての中空部６４が設けられている。また、上枠５２の上壁５２Ａには、上階側外壁パネル３０Ａに形成された中空部３８Ａと当該中空部６４とを連通させる矩形状の連通口５２Ｂが上枠５２の長手方向に沿って形成されている。なお、上枠５２内にはクランク状に形成された補強片６６が設けられており、当該上枠５２を補強している。
【００３３】
ここで、上階側外壁パネル３０Ａの背面の下端部には、鉛直方向に沿って切断された断面形状がＬ字状を成すブラケット６８が固定されている。このブラケット６８と外壁パネル３０の背面には、鉛直方向に沿って切断された断面形状がクランク状を成す水切り部材７０が配設されている。
【００３４】
この水切り部材７０は、ブラケット６８の縦壁６８Ａと対向する縦壁７０Ａと、ブラケット６８の横壁６８Ｂと対向する、水切り部材７０の一部としての横壁７０Ｂと、横壁７０Ｂの先端部から鉛直方向に沿って垂下される、水切り部材７０の他の一部としての垂下壁７０Ｃと、を含んで構成されている。
【００３５】
水切り部材７０の縦壁７０Ａは、ブラケット６８の縦壁６８Ａと外壁パネル３０の背面との間に配置されている。また、水切り部材７０の横壁７０Ｂは、ブラケット６８の横壁６８Ｂと上階側外壁パネル３０Ａの下端面との間に配置されており、上階側外壁パネル３０Ａの下端面と対向すると共に一部が中空部３８Ａと対向している。さらに、水切り部材７０の垂下壁７０Ｃは、上枠５２に形成された連通口５２Ｂを通じて中空部６４内へ挿入されている。
【００３６】
一方、上枠５２の長手方向の両端部には、一対の縦枠５４が設けられている。これらの縦枠５４はそれぞれ角筒状を成しており、上枠５２に形成された中空部６４と連通する角筒状の第３中空部としての中空部７２が鉛直方向に沿ってそれぞれ形成されている。また、上枠５２の下壁５２Ｃの長手方向の両端側には矩形状の連通口５２Ｄが形成されており、当該連通口５２Ｄを通じて、上枠５２の中空部６４と縦枠５４の中空部７２とが連通している。
【００３７】
また、図２及び図５に示されるように、一対の縦枠５４の下端部には、当該縦枠５４の下端部を繋ぐようにして下枠５８が配設されている。この下枠５８は角筒状を成しており、鉛直方向に沿って切断された断面形状が略逆Ｌ字状を成すカバー７４を備えている。また、下枠５８の両端部には、縦枠５４に形成された中空部７２と連通し当該中空部７２内を流れる水を屋外１７側へ排出させる排出部７６が設けられている。なお、排出部７６を含め下枠５８の上部はカバー７４によって覆われており、当該排出部７６は外部には露出しないようになっている。
【００３８】
（建物の排水構造の作用・効果）
次に、本実施の形態に係る建物の排水構造の作用・効果について説明する。
【００３９】
図１及び図３に示されるように、外壁パネル３０の外壁面１１Ａから屋内１５側に奥まった状態で枠体としてのサッシ５０が設けられている（いわゆるインセットサッシ）。これにより、外壁１１の意匠面（外壁面１１Ａ）に凹凸を設けなくても、建物１０の陰影を強調することができ、建物１０の見栄えを向上させることができる。
【００４０】
一般的に、外壁１１の横目地４０及び縦目地４２は不定形シール４４によりシールされているが、当該横目地４０及び縦目地４２において、不定形シール４４のシール切れにより当該不定形シール４４の奥方（屋内１５側）へ水（雨水など）が浸入し、外壁パネル３０に形成された中空部３８Ａ内を水が流れるとする。
【００４１】
この場合、図８に示されるように、中空部１００内を流れる水は、横目地１０２を介して、縦目地１０４へ流れる。その結果、屋外側へ水を排出することができる。しかし、本実施形態では、図３及び図７に示されるように、サッシ５０に排水手段（後述する）を設けることによって、外壁パネル３０の中空部３８Ａ内を流れる水を一旦サッシ５０内に取り込み、屋外１７側へ排出することができる。
【００４２】
インセットサッシの場合、外壁パネル３０の外壁面１１Ａから屋内１５側に奥まった状態でサッシ５０が設けられている。このため、サッシ５０内に取り込まれた水を屋外１７に排出させるには、図示はしないが、サッシ５０と外壁パネル３０の外壁面１１Ａとを繋ぐ排水路を設ける必要が生じる。
【００４３】
しかし、本実施形態では、一旦サッシ５０内に取り込んだ水を屋外１７側へ排出することができるため、インセットサッシであっても、サッシ５０と外壁パネル３０の外壁面１１Ａとを繋ぐ排水路を設ける必要がなく、建物１０の見栄えを向上させることができる。また、本実施形態による建物１０では、排水経路を確保することができるため、当該建物１０のメンテナンス費用を削減することができ、ユーザーの経済的負担を軽減することができる。
【００４４】
上述の排水手段についてさらに具体的に説明すると、図２及び図４に示されるように、サッシ５０の上枠５２には中空部６４が設けられている。また、上枠５２の上壁５２Ａには、上階側外壁パネル３０Ａに形成された中空部３８Ａと当該中空部６４とを連通させる連通口５２Ｂが形成されている。
【００４５】
一方、上階側外壁パネル３０Ａの背面の下端部には水切り部材７０が配設されており、水切り部材７０の横壁７０Ｂは、上階側外壁パネル３０Ａの下端面と対向すると共に一部が中空部３８Ａと対向している。また、水切り部材７０の垂下壁７０Ｃは、横壁７０Ｂの先端部から垂下され、上枠５２に形成された連通口５２Ｂを通じて中空部６４内へ挿入されている。つまり、上階側外壁パネル３０Ａに形成された中空部３８Ａ内を流れる水をサッシ５０内へ案内することができる。
【００４６】
また、図２及び図５に示されるように、縦枠５４には上枠５２に形成された連通口５２Ｄを介して、当該上枠５２の中空部６４と連通する中空部７２が形成されている。また、下枠５８は、縦枠５４に形成された中空部７２と連通し当該中空部７２内を流れる水を屋外１７側へ排出させる排出部７６が設けられている。
【００４７】
このため、図３に示されるように、上階側外壁パネル３０Ａに形成された中空部３８Ａ内を流れる水は、サッシ５０の上枠５２の上壁５２Ａに形成された連通口５２Ｂを通じて、当該上枠５２の中空部６４内へ案内される。当該中空部６４は、上枠５２の下壁５２Ｃに形成された連通口５２Ｄを通じて、縦枠５４に形成された中空部７２と連通しているため、中空部６４内へ案内された水は、上枠５２の長手方向の端部へ移動し、連通口５２Ｄを通じて当該中空部７２内へ案内される。この中空部７２は、サッシ５０の下枠５８に設けられた排出部７６と連通しているため、中空部７２内へ案内された水は、当該中空部７２内を落下して当該排出部７６を通じて屋外１７側へ排出される。
【００４８】
つまり、外壁パネル３０の中空部３８Ａ内を流れる水は、上枠５２の連通口５２Ｂを通じて、当該上枠５２の中空部６４内へ案内された後、上枠５２の連通口５２Ｄを通じて縦枠５４の中空部７２へ案内される。そして、縦枠５４の中空部７２を通じて排出部７６へ案内され、当該排出部７６を通じて屋外１７側へ排出される。このように、簡単な構成で建物１０の防水性能を向上させることができる。
【００４９】
（その他の実施形態）
なお、本実施形態では、図３に示されるように、上階側外壁パネル３０Ａに形成された中空部３８Ａ内を流れる水をサッシ５０内へ案内し、サッシ５０の下部の一部を構成する排出部７６を通じて屋外１７側へ排出することができれば良いため、サッシ５０を構成する枠体の形状はこれに限るものではない。
【００５０】
また、本実施形態では、上階側外壁パネル３０Ａの下端部に水切り部材７０が配設されているが、この水切り部材は必ずしも必要ではない。例えば、当該水切り部材７０に変えてシール部材を用いても良い。
【００５１】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５２】
１０      建物
１１      外壁
１１Ａ    外壁面
１５      屋内
１７      屋外
３０      外壁パネル（外壁、中空外壁材）
３０Ａ    上階側外壁パネル（外壁、中空外壁材）
３８      中空部
３８Ａ    中空部（第１中空部）
５０      サッシ（枠体）
５２      上枠（排水手段）
５４      縦枠（排水手段）
５８      下枠（排水手段）
６４      中空部（第２中空部）
７０      水切り部材
７２      中空部（第３中空部）
７６      排出部
【図１】
2014114660.tif 000003
【図２】
2014114660.tif 000004
【図３】
2014114660.tif 000005
【図４】
2014114660.tif 000006
【図５】
2014114660.tif 000007
【図６】
2014114660.tif 000008
【図７】
2014114660.tif 000009
【図８】
2014114660.tif 000010